(57)【要約】    【課題】  バッグや小物入れあるいは財布などの携帯品の置き忘れが発生した時に迅速に警報を発生できるようにした現金自動取扱装置の忘れ物警報システムを提供する。    【解決手段】  操作パネル近くの携帯品を置くことのできる載置スペース部(20,40,11D) に携帯品検知手段(21,41,51)を設け、現金自動取扱装置又はその近くに利用者検知手段(22)を設ける。載置スペース部上に利用者の携帯品が載置されたことを検知するとともに、現金自動取扱装置前方の所定領域内の利用者の存在を検知し、載置スペース部上に携帯品が載置された状態で利用者が現金自動取扱装置前方の所定の領域から離れた時に制御手段(24)で警報信号を発し、警報手段(23)で利用者に警報を発する。【選択図】  図１
2006277710.tif 000002
【特許請求の範囲】
【請求項１】
利用者が操作パネルを操作して少なくとも現金の引出を行えるようにした現金自動取扱装置において、
上記操作パネル近くの携帯品を置くことのできる載置スペース部と、
該載置スペース部上に載置された利用者の携帯品を検知する携帯品検知手段と、
現金自動取扱装置前方の所定の領域内における利用者の存在を検知する利用者検知手段と、
上記携帯品検知手段及び利用者検知手段の信号を受け、上記載置スペース部上に携帯品が載置された状態で利用者が現金自動取扱装置前方の所定の領域から離れた時に警報信号を出力する制御手段と、
該制御手段の警報信号を受けて利用者に警報を発する警報手段と、
を備えたことを特徴とする現金自動取扱装置の忘れ物警報システム。
【請求項２】
上記載置スペース部が、上記操作パネルの近くに形成された凹所、上記操作パネルの近くに配置されたボックス又はプレート、あるいは上記操作パネル周囲の平坦な領域部分である請求項１記載の現金自動取扱装置の忘れ物警報システム。
【請求項３】
利用者が携帯品を置き忘れて離れた時に警報を発生する置き忘れ警報装置であって、
所定の載置スペース上に載置された利用者の携帯品を検知する携帯品検知手段と、
所定の領域内における利用者の存在を検知する利用者検知手段と、
上記携帯品検知手段及び利用者検知手段の信号を受け、上記所定の載置スペース上に携帯品が載置された状態で利用者が上記所定の領域から離れた時に警報信号を出力する制御手段と、
該制御手段の警報信号を受けて利用者に警報を発する警報手段と、
を備えたことを特徴とする携帯品の置き忘れ警報装置。
【発明の詳細な説明】
【技術分野】
【０００１】
本発明は現金自動取扱装置の忘れ物警報システムに関し、特にバッグや小物入れあるいは財布などの携帯品の置き忘れが発生した時に迅速に警報を発生するようにしたシステムに関する。
【背景技術】
【０００２】
最近、銀行や郵便局ばかりでなく、コンビニエンスストアなどにもＡＴＭなどの現金自動取扱装置（以下、単に「ＡＴＭ」ともいう）が設置されることが多くなった。かかるＡＴＭは現金の引出、預入、振込などの操作を手軽に行うことができて非常に便利であり、日常生活に必要不可欠な存在となっている。
【０００３】
しかし、従来のＡＴＭでは利用者が引き出した現金あるいは使ったカードや通帳をＡＴＭから取り忘れてその場を離れてしまい、現金あるいはカードや通帳を盗られ、さらにはカードや通帳が不正に使用されて大きな損害を受けるおそれがあった。
【０００４】
そこで、現金、カード又は通帳の取り忘れを検知するとともに、利用者がＡＴＭから離れたことを検知し、利用者が現金などを取り忘れてＡＴＭから離れた時に利用者に取り忘れの警報を発するようにした取り忘れ警報システムが提案されている（特許文献１）。
【０００５】
【特許文献１】特開２００２−１１７４２９号公報
【発明の開示】
【発明が解決しようとする課題】
【０００６】
ところで、利用者がＡＴＭを操作する際の挙動を検討すると、利用者はバックや小物入れあるいは財布などからカードや通帳を取り出し、バッグや小物入れあるいは財布をＡＴＭの操作パネルの近くに一時的に置いた後、カードや通帳をＡＴＭにセットし、操作パネルに対して必要な操作を行うことが多い。
【０００７】
最近のＡＴＭでは利用できる機能が多く、操作パネルの操作も複雑となっていることから、利用者は操作パネルの操作に夢中になってしまい、特に急いでいる時にはバッグや小物入れあるいは財布をＡＴＭの操作パネルの近くに置いたことも忘れ、忘れ物に気づいて戻ると、既に盗られていたということがある。
【０００８】
バッグや小物入れあるいは財布には現金、多数のカードや通帳、その他の貴重品を入れていることが多く、これら小物入れなどが盗難にあうと、その被害が非常に大きい。
【０００９】
しかしながら、上記特許文献１記載の警報システムでは上述のバッグや小物入れあるいは財布の置き忘れについては全く考慮されていない。
【００１０】
本発明はかかる問題点に鑑み、バッグや小物入れあるいは財布などの携帯品の置き忘れが発生した時に迅速に警報を発生できるようにした現金自動取扱装置の忘れ物警報システムを提供することを課題とする。
【課題を解決するための手段】
【００１１】
そこで、本発明に係る現金自動取扱装置の忘れ物警報システムは、利用者が操作パネルを操作して少なくとも現金の引出を行えるようにした現金自動取扱装置において、上記操作パネル近くの携帯品を置くことのできる載置スペース部と、該載置スペース部上に載置された利用者の携帯品を検知する携帯品検知手段と、現金自動取扱装置前方の所定の領域内における利用者の存在を検知する利用者検知手段と、上記携帯品検知手段及び利用者検知手段の信号を受け、上記載置スペース部上に携帯品が載置された状態で利用者が現金自動取扱装置前方の所定の領域から離れた時に警報信号を出力する制御手段と、該制御手段の警報信号を受けて利用者に警報を発する警報手段と、を備えたことを特徴とする。
【００１２】
現金自動取扱装置では現金の取出し口に現金があることを検知し、あるいはカードや通帳が現金自動取扱装置にセットされたことを検知するようになっている。したがって、特許文献１では現金自動取扱装置が本来有する上述の機能を利用することができる。
【００１３】
これに対し、バッグ、小物入れ、財布などの携帯品については利用者がこれをどこに置くかを任意に決めるものであり、又現金自動取扱装置の機能によってこれらを検知することができない。
【００１４】
本発明の特徴の１つは利用者が現金自動取扱装置の操作パネル近くの載置スペース部にバッグなどの携帯品を置くと、携帯品検知手段がそれを検知し、利用者が現金自動取扱装置の前から離れると、利用者検知手段がそれを検知し、利用者が載置スペース部に携帯品を置いたまま現金自動取扱装置から離れると、制御手段が警報信号を出力し、警報手段が利用者に警報を発生するようにした点にある。
【００１５】
これにより、利用者がバッグ、小物入れ、財布などの携帯品を置き忘れたままで現金自動取扱装置の前から離れるということはなくなり、バッグ、小物入れ、財布、その中身である現金、多数のカードや通帳、その他の貴重品が盗難にあうのを未然に防止できる。
【００１６】
載置スペース部は操作パネル近くに携帯品を載置できればどのような構造や形状でもよく、例えば操作パネルの近くに形成された凹所とすることもできるが、既存の現金自動取扱装置に加工を施すか、あるいは新たに現金自動取扱装置を製作する必要が生ずる。
【００１７】
そこで、ボックス、例えば上面が開口したボックスあるいはプレートを操作パネルの近くに載置して載置スペース部として利用するか、あるいは既存の現金自動取扱装置の操作パネル周囲の平坦面を載置スペース部として利用するのがよい。
【００１８】
携帯品検知手段は載置スペース部上に載置された利用者の携帯品を検知できればどのようなものでもよく、例えば光センサー、赤外線センサー、超音波センサー、タッチセンサーなどを採用することができる。
【００１９】
この携帯品検知手段は載置スペース部上の携帯品を検知できればどこに設けられていてもよいが、携帯品を確実に検知する上で、光センサーや赤外線センサーを凹所、ボックスやプレートあるいは操作パネル周囲の平坦面の対向する側面又は側縁に設け、光や赤外線が遮られたときに携帯品が載置されていることを検知するという方式を採用することができる。
【００２０】
また、超音波センサーを凹所内部、ボックス内部、プレート又は操作パネル周囲の平坦面と対面するように設け、超音波の反射波を受けたときに携帯品が載置されていることを検知するという方式を採用することもできる。さらに、タッチセンサーを凹所内、ボックスやプレート又は操作パネル周囲の平坦面の上に載置し、載置された携帯品をタッチセンサーで検出するという方式を採用することもできる。
【００２１】
ここで、タッチセンサーの方式は特に限定されず、例えば携帯品による載置スペース部上の重さ変化を電気的又は機械的に検知する方式を採用することができる。機械的な検知方式は例えば流体圧の変化として検知することができ、又重さの増加によってスイッチをＯＮさせることによって検知することができる。特に、タッチセンサーを採用すると、カードや通帳など、薄い携帯品も置き忘れたことを検知することができる。
【００２２】
利用者検知手段は現金自動取扱装置前方の所定領域内における利用者の存在を検知できればどのようなものでもよく、例えば光センサー、紫外線センサーあるいは超音波センサーなどを採用することができる。また、この利用者検知手段は現金自動取扱装置前方に所定の大きさのプレートを置き、プレート上に利用者が乗った時に利用者の存在を検知するという機械的な方式を採用することもできる。
【００２３】
この利用者検知手段は例えば光センサー、紫外線センサーあるいは超音波センサーの場合には現金自動取扱装置前方の所定の領域に対面して現金自動取扱装置に直接取付けるようにすることができ、又現金自動取扱装置前方の所定の領域と対面する位置、例えば床面や天井、あるいは立設したポールなどに設置することもできる。
【００２４】
制御手段は例えばマイクロコンピュータやシーケンサによって構成することができる。また、警報手段はブザーや音声、光の点灯や点滅、これらの組合せを採用することができる。
【００２５】
また、本発明の考え方は汎用の置き忘れ警報装置に適用することができる。即ち、本発明によれば、利用者が携帯品を置き忘れた時に警報を発生する置き忘れ警報装置であって、所定の載置スペース上に載置された利用者の携帯品を検知する携帯品検知手段と、所定の領域内における利用者の存在を検知する利用者検知手段と、上記携帯品検知手段及び利用者検知手段の信号を受け、上記所定の載置スペース上に携帯品が載置された状態で利用者が上記所定の領域から離れた時に警報信号を出力する制御手段と、該制御手段の警報信号を受けて利用者に警報を発する警報手段と、を備えたことを特徴とする携帯品の置き忘れ警報装置を提供することができる。
【発明を実施するための最良の形態】
【００２６】
以下、本発明を図面に示す具体例に基づいて詳細に説明する。図１ないし図３は本発明に係る現金自動取扱装置の忘れ物警報システムの好ましい実施形態を示す。図において、ＡＴＭ（現金自動取扱装置）１０は装置本体１１の高さ方向の中間に平坦な段部１１Ａが形成されかつ段部１１Ａの後端縁には傾斜立上り部１１Ｂが形成された函体形状をなし、段部１１Ａにはタッチセンサー方式の操作パネル１２が配置され、又傾斜立上り部１１Ｂには小銭及び札（現金）の出入口１３、１４が配置され、さらにカード及び通帳の挿入口１５、１６が配置されている。
【００２７】
また、装置本体１１の段部１１Ａには操作パネル１２の左側方に平面四角形状の載置凹所（載置スペース部）２０が形成され、バッグ、小物入れ、財布等の携帯品Ｗを載置できるようになっている。
【００２８】
この載置凹所２０の対向する縦壁面には携帯品検知センサー（携帯品検知手段）２１が壁面に沿って並べて取付けられ、各携帯品検知センサー２１は発光素子と受光素子を相互に対向させて構成され、発光素から受光素子に向かう光が遮光されたときに携帯品Ｗの存在が検知されるようになっている。
【００２９】
また、装置本体１１の前面には利用者検知センサー（利用者検知手段）２２が取付けられ、利用者検知センサー２２は発光素子と受光素子からなる光センサーで構成され、発光素子は所定の立体角で光２２Ａを照射し、その反射光が受光素子で受光されたときに利用者の存在が検知され、反射光が所定の強さ以下になったときに利用者がＡＴＭ１０の前の領域から離れたことを検知されるようになっている。
【００３０】
さらに、装置本体１１の前面にはスピーカ（警報手段）２３が取付けられ、又装置本体１１内にはマイクロコンピュータ（制御手段）２４が内蔵されている。
【００３１】
利用者がＡＴＭ１０を利用して例えば現金の預入を行う場合、カード及び持参している場合には通帳を挿入口１５、１６に差し込み、操作パネル１２の表示に従って操作パネル１２のボタンをタッチし、小銭及び札の出入口１３、１４が開くと、その中に小銭又は札を入れ、ＡＴＭ１０に小銭及び札を読み込ませ、ＡＴＭ１０内に取り込ませればよい。
【００３２】
ところで、カードや通帳はバッグや財布などの携帯品Ｗから取り出すことが多いが、操作パネル１２の操作中は携帯品Ｗが邪魔になる。そこで、図２に示されるように携帯品Ｗを載置凹所２０内に入れておく。
【００３３】
すると、携帯品検知センサー２１の発光素子から受光素子に向かう光が携帯品で遮られ、その携帯品検知センサー２１の信号がマイクロコンピュータ２４に入力され、マイクロコンピュータ２４で載置凹所２０内に携帯品Ｗが入れられたことが検知される。
【００３４】
また、ＡＴＭ１０では利用者検知センサー２２から照射光２２Ａが所定の立体角度で照射されており、利用者がＡＴＭ１０の前に立つと、照射光２２Ａの利用者に当たって反射したある強度以上の強さの光が利用者検知センサー２２で受光され、利用者検知センサー２２の信号がマイクロコンピュータ２４に入力され、マイクロコンピュータ２４でＡＴＭ１０の利用者が存在することが検知される。
【００３５】
今、利用者が携帯品Ｗを載置凹所２０から取り出してＡＴＭ１０の前の領域から離れたときにはマイクロコンピュータ２４は警報信号を発生しない。
【００３６】
利用者が載置凹所２０内に携帯品Ｗを忘れたままＡＴＭ１０の前の領域から離れると、マイクロコンピュータ２４では警報信号が発生され、スピーカ２３から例えば“忘れ物です”の音声が発せられるので、利用者は忘れ物に気がついて載置凹所２０から携帯品Ｗを取り出してＡＴＭ１０の前から離れることとなる。
【００３７】
図４は第２の実施形態を示し、これはマイクロコンピュータ２４に代え、制御手段をハード回路で構成する場合のラダー式の制御回路の１例を示す。図において、携帯品検知センサー２１が載置凹所２０内の携帯品Ｗを検知した信号３０Ａが制御手段に入力されると、電源＋からリレー３０の励磁コイルに通電されて励磁コイルが励磁され、接点３０Ｂが閉成される。
【００３８】
また、利用者がＡＴＭ１０の前の領域から離れたことを利用者検知センサー２２で検知され、その検知した信号３１Ａが制御手段に入力されると、電源＋からリレー３１の励磁コイルに通電されて励磁コイルが励磁され、接点３１Ｂが閉成される。
【００３９】
すると、電源＋の電流がスピーカ３２に通電され、スピーカ３２がブザー音（警報）を発生し、利用者は携帯品Ｗの取り忘れに気づき、携帯品Ｗを取り出すことができる。載置凹所２０から携帯品Ｗを取り出すと、携帯品センサー２１が初期化されるので、リレー３０の励磁が解除され、接点３０Ｃが閉成され、制御手段がリレー３１の励磁を解除した後、接点３０Ｃを開成し、制御手段を初期化し、待機状態３３となる。
【００４０】
図５及び図６は第３の実施形態を示し、図において図１ないし図３と同一符号は同一又は相当部分を示す。本例では載置凹所２０に代え、上面の開口した載置ボックス（載置スペース部）４０を装置本体１１の段部１１Ａの上面の操作パネル１２左側方に設置し、載置ボックス４０の対向する側壁面に複数の携帯品検知センサー４１を壁面に沿って取付けている。
【００４１】
携帯品センサーの付番が第１の実施形態のそれと異なっているが、本例の警報動作は第１の実施形態と同様であるので、その詳細な説明は省略する。なお、この載置ボックス４０は段部１１Ａの上面の操作パネル１２の右側方に設置してもよく、又ＡＴＭ１０上ではなく、ＡＴＭ１０の近傍のテーブル上に設置するようにしてもよい。
【００４２】
図７及び図８は第４の実施形態を示し、図において図１ないし図３と同一符号は同一又は相当部分を示す。本例では載置凹所２０及び載置ボックス４０に代え、ＡＴＭ１０の段部１１Ａの操作パネル１２の側方の平坦な面を載置スペース部１１Ｄとし、載置スペース部１１Ｄの両側に一対のバー５０を対向して配置し、バー５０には複数の携帯品検知センサー５１を長手方向に並べて取付けている。
【００４３】
本例においては載置スペース部１１Ｄに携帯品Ｗを置くと、携帯品検知センサー５１でそれが検知され、利用者が携帯品Ｗを忘れてＡＴＭ１０の前から立ち去ろうとすると、第１の実施形態と同様に警報が発生されることとなる。
【００４４】
なお、載置スペース部１１Ｄは段部１１Ａの上面の操作パネル１２の右側方としてもよい。
【００４５】
また、上記各例では利用者検知センサー２２をＡＴＭ１０の前面に取付けたが、ＡＴＭ１０の前方フロアや天井に設置してもよく、又ＡＴＭ１０の側方にポールを立て、そのポールに利用者検知センサーを設置するようにしてもよい。
【００４６】
また、利用者検知センサーを、例えば利用者がプレートに載った時に利用者を検知する方式とし、これと上述の載置ボックス４０又はバー５０と組み合わせ、汎用の携帯品の置き忘れ警報装置を構成することもできる。
【図面の簡単な説明】
【００４７】
【図１】本発明に係る現金自動取扱装置の忘れ物警報システムの好ましい実施形態を示す概略斜視図である。
【図２】上記実施形態の使用状態を示す要部拡大斜視図である。
【図３】上記実施形態における制御系の構成を示す図である。
【図４】第２の実施形態における制御系の構成を示す図である。
【図５】第３の実施形態を示す概略斜視図である。
【図６】上記実施形態の使用状態を示す要部拡大斜視図である。
【図７】第４の実施形態を示す概略斜視図である。
【図８】上記実施形態の使用状態を示す要部拡大斜視図である。
【符号の説明】
【００４８】
１０      ＡＴＭ（現金自動取扱装置）        １１      装置本体
１１Ａ      段部                            １１Ｃ      載置スペース部
１２      操作パネル                        ２０      載置凹所
２１      携帯品検知センサー（携帯品検知手段）
２２      利用者検知センサー（利用者検知手段）
２３      スピーカ（警報手段）
２４      マイクロコンピュータ（制御手段）
３０，３１      リレー（制御手段）    ３０Ｂ  ３１Ｂ        リレー接点
３２      スピーカ（警報手段）    ４０      載置ボックス（載置スペース部）
４１      携帯品検知センサー                ５１      携帯品検知センサー
【図１】
2006277710.tif 000003
【図２】
2006277710.tif 000004
【図３】
2006277710.tif 000005
【図４】
2006277710.tif 000006
【図５】
2006277710.tif 000007
【図６】
2006277710.tif 000008
【図７】
2006277710.tif 000009
【図８】
2006277710.tif 000010